(57)【特許請求の範囲】
【請求項１】
プラットホーム上に複数の柱を一列に立設する柱立設工程と、
上記複数の柱に屋根を前後方向の中央部であって後方寄りの位置を中心に上下方向に回動可能であって、且つ、上記柱に沿って立てた状態で設置する屋根設置工程と、
上記屋根を回動させて固定する屋根回動・固定工程と、
を具備し、
上記屋根設置工程は、
上記複数の柱のそれぞれに大梁を上下方向に回動可能であって、且つ、上記柱に沿って立てた状態で取り付け、該大梁を水平な小梁により接続することによって屋根用梁構造体を構築する屋根用梁構造体構築工程と、
上記屋根用梁構造体に屋根板を取り付ける屋根板取付工程と、
から構成されていることを特徴とする回転式ホーム上家の構築方法。
【請求項２】
請求項１記載の回転式ホーム上家の構築方法において、
上記屋根は、上記プラットホームの長手方向に沿って設けられた複数の屋根ユニットから構成されていて、
上記屋根設置工程と屋根回動・固定工程が屋根ユニット単位で行われ、
上記屋根ユニット単位で回動させた後これらを連結するようにしたことを特徴とする回転式ホーム上家の構築方法。
【請求項３】
請求項２記載の回転式ホーム上家の構築方法において、
上記屋根ユニットは、複数の屋根型材ユニットから構成されていて、該屋根型材ユニットは予め組み立てられた状態で現場に搬入されるものであることを特徴とする回転式ホーム上家の構築方法。
【請求項４】
請求項３記載の回転式ホーム上家の構築方法において、
上記屋根回動・固定工程は、
上記屋根を回動させて所定の傾斜角度とする屋根回動工程と、
上記回動された屋根の回動方向後方側にあって上記大梁と柱との間に方杖を設置する方杖設置工程と、
上記回動された屋根の回動方向前方側にあって上記大梁と柱との間に別の方杖を設置する別方杖設置工程と、
から構成されていることを特徴とする回転式ホーム上家の構築方法。
【発明の詳細な説明】
【技術分野】
【０００１】
本発明は、例えば、駅のプラットホームに設置されるホーム上家の構築方法に係り、特に、プラットホーム上に複数の柱を立設し、回動可能であって、且つ、立てた状態で上記複数の柱に屋根を取り付け、その後、上記屋根を回動させて固定することにより、構築作業に必要なスペースを小さくすることができ、且つ、線路閉鎖やき電停止の期間を短くすることができるように工夫したものに関する。
【背景技術】
【０００２】
従来、例えば、駅のプラットホームのホーム上家の構築は、次のようにして行われていた。
まず、基礎工事を行う。次に、プラットホームに複数の柱を設置し、この複数の柱の上に上記プラットホーム上方を覆う屋根用梁構造体を構築し、この屋根用梁構造体の上に屋根板を設置する。そして、雨樋や目隠し板等の必要な付属物が取り付けられ、ホーム上家が構築される。
これら一連の作業に際して、作業スペースを確保するために、線路閉鎖やき電停止を行うとともに、必要に応じて、プラットホーム上に仮囲いや覆いを設置する必要がある。具体的には、基礎工事を行う場合には線路閉鎖を行わなければならず、その後のホーム上家の構築時には線路閉鎖とき電停止を行わなければならない。
尚、線路閉鎖とは、施工領域内への車両の進入を禁止することを意味し、また、き電停止とは、架線への送電停止を意味する。
【０００３】
なお、本発明と直接関連するものではないが、屋根の構築方法としては、例えば、引用文献１〜引用文献３に記載されたものがある。
【先行技術文献】
【特許文献】
【０００４】
【特許文献１】特開平９−１４４１９７号公報
【特許文献２】特表２０１０−５０１７４３号公報
【特許文献３】特開２００７−２８９１１２号公報
【発明の概要】
【発明が解決しようとする課題】
【０００５】
しかし、従来の構成では、次のような問題があった。
従来のホーム上家の構築方法によると、屋根用梁構造体と屋根材の設置作業時に大きな作業スペースを必要とし、また、長時間にわたって、線路閉鎖やき電停止を行わなければならないという問題があった。また、夜間工事を多く行わなければならないという問題もあった。また、全体をとおして工事費が高くなってしまうという問題もあった。
また、プラットホーム上に大きく囲いや覆いを設けなければならないため、駅の運用に与える影響が大きいものとなってしまう。
【０００６】
本願発明は、上記のような点に基づいてなされたもので、その目的とするところは、構築作業に必要なスペースが小さく、且つ、線路閉鎖やき電停止の期間が短くて済むホーム上家の構築方法とそのようなホーム上家の構築方法を提供することにある。
【課題を解決するための手段】
【０００７】
上記課題を解決するべく請求項１に記載された回転式ホーム上屋の構築方法は、プラットホーム上に複数の柱を一列に立設する柱立設工程と、上記複数の柱に屋根を前後方向の中央部であって後方寄りの位置を中心に上下方向に回動可能であって、且つ、上記柱に沿って立てた状態で設置する屋根設置工程と、上記屋根を回動させて固定する屋根回動・固定工程と、を具備し、上記屋根設置工程は、上記複数の柱のそれぞれに大梁を上下方向に回動可能であって、且つ、上記柱に沿って立てた状態で取り付け、該大梁を水平な小梁により接続することによって屋根用梁構造体を構築する屋根用梁構造体構築工程と、上記屋根用梁構造体に屋根板を取り付ける屋根板取付工程と、から構成されていることを特徴とするものである。
また、請求項２記載の回転式ホーム上屋の構築方法は、請求項１記載の回転式ホーム上家の構築方法において、上記屋根は、上記プラットホームの長手方向に沿って設けられた複数の屋根ユニットから構成されていて、上記屋根設置工程と屋根回動・固定工程が屋根ユニット単位で行われ、上記屋根ユニット単位で回動させた後これらを連結するようにしたことを特徴とするものである。
また、請求項３記載の回転式ホーム上屋の構築方法は、請求項２記載の回転式ホーム上家の構築方法において、上記屋根ユニットは、複数の屋根型材ユニットから構成されていて、該屋根型材ユニットは予め組み立てられた状態で現場に搬入されるものであることを特徴とするものである。
また、請求項４記載の回転式ホーム上屋の構築方法は、請求項３記載の回転式ホーム上家の構築方法において、上記屋根回動・固定工程は、上記屋根を回動させて所定の傾斜角度とする屋根回動工程と、上記回動された屋根の回動方向後方側にあって上記大梁と柱との間に方杖を設置する方杖設置工程と、上記回動された屋根の回動方向前方側にあって上記大梁と柱との間に別の方杖を設置する別方杖設置工程と、から構成されていることを特徴とするものである。
【発明の効果】
【０００８】
以上述べたように、請求項１記載の回転式ホーム上家の構築方法によると、プラットホーム上に複数の柱を一列に立設する柱立設工程と、上記複数の柱に屋根を前後方向の中央部であって後方寄りの位置を中心に上下方向に回動可能であって、且つ、上記柱に沿って立てた状態で設置する屋根設置工程と、上記屋根を回動させて固定する屋根回動・固定工程と、を具備し、上記屋根設置工程は、上記複数の柱のそれぞれに大梁を上下方向に回動可能であって、且つ、上記柱に沿って立てた状態で取り付け、該大梁を水平な小梁により接続することによって屋根用梁構造体を構築する屋根用梁構造体構築工程と、上記屋根用梁構造体に屋根板を取り付ける屋根板取付工程と、から構成されているため、上記複数の柱に屋根を取り付ける際の作業スペースが少なくて済む。また、その後、上記屋根を回動させて固定する屋根回動・固定工程を行って上記回転式ホーム上家の構築を完了させるため、この屋根回動・固定工程の際に線路閉鎖やき電停止を行えばよく、上記線路閉鎖やき電停止を長時間行う必要がない。また、長時間の線路閉鎖やき電停止を行う必要がないので、夜間工事の時間を減らすことができ、工事費用を削減することができる。また、鉄道の運行などに与える影響を小さなものとすることもできる。また、予め構築した上記屋根を現場に搬入する必要がなく、比較的軽量な大梁、小梁、及び、屋根板によって上記屋根を構築しながら上記柱に取り付けていくので、上記屋根の取り付けを容易に行うことができる。
また、請求項２記載の回転式ホーム上屋の構築方法は、請求項１記載の回転式ホーム上家の構築方法において、上記屋根は、上記プラットホームの長手方向に沿って設けられた複数の屋根ユニットから構成されていて、上記屋根設置工程と屋根回動・固定工程が屋根ユニット単位で行われ、上記屋根ユニット単位で回動させた後これらを連結するようにしたものであるため、上記屋根ユニット、ひいては上記屋根の回動作業を容易に行うことができる。
また、請求項３記載の回転式ホーム上屋の構築方法は、請求項２記載の回転式ホーム上家の構築方法において、上記屋根ユニットは、複数の屋根型材ユニットから構成されていて、該屋根型材ユニットは予め組み立てられた状態で現場に搬入されるものであるため、上記屋根型材ユニットを組み合わせることで容易に屋根ユニットを構築することができる。
また、請求項４記載の回転式ホーム上屋の構築方法は、請求項３記載の回転式ホーム上家の構築方法において、上記屋根回動・固定工程は、上記屋根を回動させて所定の傾斜角度とする屋根回動工程と、上記回動された屋根の回動方向後方側にあって上記大梁と柱との間に方杖を設置する方杖設置工程と、上記回動された屋根の回動方向前方側にあって上記大梁と柱との間に別の方杖を設置する別方杖設置工程と、から構成されているため、上記屋根回動工程を容易に行うことができるとともに、例えば、上記屋根を回動させたときに用いた冶具を用いて、上記屋根を所定の傾斜角度にて保持し、上記回動された屋根の回動方向後方側にあって上記大梁と柱との間に方杖を設置して上記屋根を固定した後、上記冶具を取り外し、その後、上記回動された屋根の回動方向前方側にあって上記大梁と柱との間に別の方杖を設置することにより、上記屋根の確実な固定を容易に行うことができる。
【図面の簡単な説明】
【０００９】
【図１】本願発明の一実施の形態を示す図で、本実施の形態による回転式ホーム上家を示す斜視図である。
【図２】本願発明の一実施の形態を示す図で、本実施の形態による回転式ホーム上家を示す正面図である。
【図３】本願発明の一実施の形態を示す図で、本実施の形態による回転式ホーム上家を示すとともにプラットホームから下を断面とした拡大側面図である。
【図４】本願発明の一実施の形態を示す図で、本実施の形態による回転式ホーム上家の柱を示す斜視図である。
【図５】本願発明の一実施の形態を示す図で、図４におけるＶ−Ｖ拡大断面図である。
【図６】本願発明の一実施の形態を示す図で、図４におけるＶＩ部の拡大斜視図である。
【図７】本願発明の一実施の形態を示す図で、本実施の形態による回転式ホーム上家の柱のうちの２本と、その間に設けられたトラスを示す斜視図である。
【図８】本願発明の一実施の形態を示す図で、本実施の形態による回転式ホーム上家の屋根用梁構造体を示す裏面図である。
【図９】本願発明の一実施の形態を示す図で、図９（ａ）は本実施の形態による回転式ホーム上家の屋根用梁構造体を構成する大梁を示す平面図であり、図９（ｂ）は上記大梁の側面図である。
【図１０】本願発明の一実施の形態を示す図で、図９（ｂ）のＸ−Ｘ矢視図である。
【図１１】本願発明の一実施の形態を示す図で、本実施の形態による回転式ホーム上家のジョイントに用いられるブラケットを示す斜視図である。
【図１２】本願発明の一実施の形態を示す図で、図１２（ａ）は本実施の形態による回転式ホーム上家の屋根用梁構造体を構成する小梁を示す平面図であり、図１２（ｂ）は上記小梁の側面図である。
【図１３】本願発明の一実施の形態を示す図で、図１２（ｂ）のＸＩＩＩ−ＸＩＩＩ矢視図である。
【図１４】本願発明の一実施の形態を示す図で、本実施の形態による回転式ホーム上家に用いられる先入れボルトの斜視図である。
【図１５】本願発明の一実施の形態を示す図で、図８のＸＶ部の拡大平面断面図である。
【図１６】本願発明の一実施の形態を示す図で、本実施の形態による回転式ホーム上家の屋根と柱との接続部分、及び、方杖と屋根及び柱との接続部分を示す部分拡大斜視図である。
【図１７】本願発明の一実施の形態を示す図で、本実施の形態による回転式ホーム上家の屋根と柱との接続、及び、方杖と屋根及び柱との接続を行うジョイントの拡大断面図である。
【図１８】本願発明の一実施の形態を示す図で、本実施の形態による回転式ホーム上家に用いられる方杖の斜視図である。
【図１９】本願発明の一実施の形態を示す図で、本実施の形態による回転式ホーム上家に用いられる屋根ユニットの屋根パネルを示す平面図である。
【図２０】本願発明の一実施の形態を示す図で、本実施の形態による回転式ホーム上家に用いられる屋根パネルを構成する屋根型材ユニット示す斜視図である。
【図２１】本願発明の一実施の形態を示す図で、本実施の形態による回転式ホーム上家に用いられる屋根型材ユニットを構成する屋根板を示す拡大端面図である。
【図２２】本願発明の一実施の形態を示す図で、本実施の形態による回転式ホーム上家に用いられる屋根パネルを構成する屋根型材ユニット示す端面図である。
【図２３】本願発明の一実施の形態を示す図で、本実施の形態による回転式ホーム上家の屋根パネルどうしの繋ぎ目部分を示す拡大端面図である。
【図２４】本願発明の一実施の形態を示す図で、本実施の形態による回転式ホーム上家の構築手順を模式的に示す図であり、プラットホーム上に囲いを設けた状態を示す斜視図である。
【図２５】本願発明の一実施の形態を示す図で、本実施の形態による回転式ホーム上家の構築手順を模式的に示す図であり、プラットホーム上に基礎を設置する穴（ピット）を形成した状態を示す斜視図である。
【図２６】本願発明の一実施の形態を示す図で、本実施の形態による回転式ホーム上家の構築手順を模式的に示す図であり、プラットホーム上に複数の柱を設置し、上記複数の柱間にトラスを取り付けた状態を示す斜視図である。
【図２７】本願発明の一実施の形態を示す図で、本実施の形態による回転式ホーム上家の構築手順を模式的に示す図であり、複数の柱に対して回動可能な屋根用梁構造体を立てた状態で取り付けた様子を示す斜視図である。
【図２８】本願発明の一実施の形態を示す図で、本実施の形態による回転式ホーム上家の構築手順を模式的に示す図であり、屋根用梁構造体に屋根パネルを取り付けた状態を示す斜視図である。
【図２９】本願発明の一実施の形態を示す図で、本実施の形態による回転式ホーム上家の構築手順を示す図であり、屋根を回動させて所定の角度に傾斜した状態とする様子を示すとともにプラットホームから下を断面とした側面図である。
【図３０】本願発明の一実施の形態を示す図で、本実施の形態による回転式ホーム上家の構築手順を模式的に示す図であり、屋根を回動させて所定の角度に傾斜した状態とする様子を示す斜視図である。
【図３１】本願発明の一実施の形態を示す図で、本実施の形態による回転式ホーム上家の構築手順を模式的に示す図であり、屋根を回動させて所定の角度に傾斜した状態とする様子を示す斜視図である。
【発明を実施するための形態】
【００１０】
以下、図１〜図３１を参照して、本願発明の一実施の形態について説明する。
【００１１】
まず、図１〜図２３を参照して、本実施の形態による回転式ホーム上家１の構成について説明する。
図１〜図３に示すように、上記回転式ホーム上家１はプラットホーム３上に設置されている。
なお、図３において、上記プラットホーム３正面（図３中左側）に停車した鉄道車両を符号４を用いて示す。
上記回転式ホーム上家１は、直線上に配置された複数の柱５（柱５′）と、これら柱５（５′）間に設けられたトラス７と、複数の上記柱５（柱５′）の上側に設置された屋根９と、上記屋根９と複数の上記柱５（柱５′）との間に設けられた複数の方杖１１、１３とから構成されている。
以下、各部材について詳細に説明する。
【００１２】
まず、柱５（柱５′）の構成について説明する。
上記柱５は、図４に示すように、柱本体１５と、この柱本体１５の上端面を覆うように固着されたプレート１７と、このプレート１７上に固着されたブラケット１９と、上記柱本体１５の下端面に固着されたベースプレート２１とから構成されている。
上記柱本体１５は、例えば、アルミ又はアルミ合金製である。また、上記柱本体１５は、図５に示すような断面形状を成しており、４つのリブ２５が形成された中空構造となっている。また、上記柱本体１５内部の四隅にはボルト用孔２７が形成されている。このボルト用孔２７の両端側（図５中紙面垂直方向両端側）には図示しない雌ネジ部が形成されている。
また、上記柱本体１５の上端面には、既に説明したプレート１７が、上記ボルト用孔２７内にボルト２９を螺合することにより固定されている。
【００１３】
また、図６に示すように、上記プレート１７には、ブラケット１９が、ボルト３１、３１によって固着されている。上記ブラケット１９は、略円板形状の基部３３と、この基部３３に垂直に形成された２つのジョイント板３５、３５とから構成されており、上記ジョイント板３５には貫通孔３７が穿孔されている。
なお、柱５′は、柱５と略同様の構成であるが、図７に示すように、上端部（図７中上側端）に２つのブラケット１９が固着されているものである。上記柱５′は、後述する屋根ユニット５１が隣り合う箇所に設置されるものである。また、上記ブラケット１９、上記プレート１７、上記ボルト２９、３１は、例えば、ステンレス製である。
【００１４】
また、ベースプレート２１は、上記柱本体１５の下端側からボルト用孔２７に螺合される図示しない４つのボルトによって、上記柱本体１５に固定されている。
図３に示すように、上記柱本体１５の下端側（図３中下側）と上記ベースプレート２１は基礎３９に埋設され、さらにこの基礎３９がプラットホーム３に埋設されることによって、柱５がプラットホーム３上に立設されている。また、上記ベースプレート２１は、複数のアンカーボルト４１を介して、上記基礎３９内に固定されている（詳細は追って作用の箇所で説明する。）。
なお、上記ベースプレート２１及び上記アンカーボルト４１は、例えば、鋼製である。
【００１５】
また、上記柱本体１５の側面には、Ｌ字型金具４３を介して、フック４５が取り付けられている。このフック４５は後述する屋根ユニット５１の回動作業に用いられるもので、回転式ホーム上家１の完成後には上記Ｌ字型金具４３とともに取り外される。上記フック４５と上記Ｌ字型金具４３が取り外された後は、上記Ｌ字型金具４３の固定に用いるボルトの螺合されていた孔に図示しないセットスクリューが螺合される。上記フック４５の取付位置については後述する。なお、上記フック４５は、例えば、ステンレス製である。
また、上記柱本体１５の側面のうち、プラットホーム３上に設置された柱５（柱５′）同士が向かい合う側の面のそれぞれには、４つずつのトラス取付用孔４７が穿孔されている。また、上記柱本体１５の側面のうち、上記トラス取付用孔４７が設けられた側面に直交する面のそれぞれには、４つずつのブラケット取付用孔４８が穿孔されている。
なお、回転式ホーム上家１両端の柱５においては、図１６に示すように、使用されない上記トラス取付用孔４７にセットスクリュー５０が螺合される。
柱５及び柱５′のプラットホーム３上での配置は、図１に示すようになっている。上記柱５′の位置において、後述する屋根ユニット５１同士が隣り合うようになっている。
以上が、柱５及び柱５′の構成についての説明である。
【００１６】
図７に示すように、上記柱５（柱５′）間には、トラス７が設けられている。
このトラス７は、その両端を、隣接した２本の上記柱５（柱５′）の柱本体１５の側面のうちプラットホーム３上に設置された柱５同士が向かい合う側の面に当接した状態で、４つのトラス取付用孔４７に螺合される４つのボルト４９によって固定されている。
また、上記トラス７も、その構造材は、例えば、アルミ又はアルミ合金製となっている。また、上記ボルト４９は、例えば、ステンレス製である。
【００１７】
次に、屋根９の構成について説明する。
図１に示すように、上記屋根９は、複数の屋根ユニット５１が連続して配置されることによって構成されている。
上記屋根ユニット５１は、図３に示すように、柱５（柱５′）に接続された屋根用梁構造体５３と、この屋根用梁構造体５３の上（図３中上側）に固定された屋根パネル５５とから構成されている。
【００１８】
まず、屋根用梁構造体５３の構成について説明する。
上記屋根用梁構造体５３は、図８に示すように、横方向（図８中左右方向）に配置された大梁５７ａ、５７ｂ、５７ｃと、上記大梁５７ａと上記大梁５７ｂとを接続する小梁５９ａ、５９ｂ、５９ｃ、５９ｄと、上記大梁５７ｂと上記大梁５７ｃとを接続する小梁５９ａ′、５９ｂ′、５９ｃ′、５９ｄ′とから構成されている。上記大梁５７ａ、５７ｂ、５７ｃや上記小梁５９ａ、５９ｂ、５９ｃ、５９ｄ、５９ａ′、５９ｂ′、５９ｃ′、５９ｄ′は、例えば、アルミ又はアルミ合金製である。
また、上記小梁５９ａ、５９ｂ間、上記小梁５９ｂ、５９ｃ間、上記小梁５９ｃ、５９ｄ間は、それぞれ梁材６１によって接続されている。上記小梁５９ａ′、５９ｂ′、５９ｂ′、５９ｃ′、５９ｄ′についても同様に梁材６１によって接続されている。
【００１９】
また、上記大梁５７ａの両端側の上記屋根用梁構造体５３裏面側（図３中下側、図８中紙面方向側）にはブレース用プレート６３、６３′が、それぞれ上記大梁５７ａに螺合された４つのボルト６４によって固着されている。
また、上記大梁５７ｂについてはブレース用プレート６５、６５′が、上記大梁５７ｃについてはブレース用プレート６７、６７′が、上記大梁５７ａの場合と同様に固着されている。
また、上記小梁５９ｃの上記梁材６１、６１との接続部分であって、上記屋根用梁構造体５３の裏面側（図３中下側、図８中紙面方向側）にはブレース用プレート６９が４つのボルト７０によって固着されている。
また、上記小梁５９ｃ′の上記梁材６１、６１との接続部分であって、上記屋根用梁構造体５３の裏面側（図３中下側、図８中紙面方向側）にも、上記小梁５９ｃの中央付近の場合と同様に、ブレース用プレート６９′が固着されている。
【００２０】
上記ブレース用プレート６９と、上記ブレース用プレート６３、６３′、６５、６５′のそれぞれとの間は、ブレース７１、７１、７１、７１によって接続されている。
また、上記ブレース用プレート６９′と、上記ブレース用プレート６５、６５′、６７、６７′のそれぞれとの間も、ブレース７１、７１、７１、７１によって接続されている。
なお、上記ブレース用プレート６９等に対する上記ブレース７１の固定は、ボルト７２と図示しないナットによって行われている。また、上記ブレース用プレート６３、６３′、６５、６５′、６７、６７′、６９、６９′、ブレース７１、は、例えば、ステンレス製である。
【００２１】
上記大梁５７ｂは、図１０に示すように、その横断面形状がＨ型をなすＨ型材であり、その上面（図１０中上側の面）と下面（図１０中下側の面）には、長さ方向（図１０中紙面垂直方向）に延長・形成されたボルト係合溝７３、７３が形成されている。
なお、大梁５７ｂと同様の断面形状を持つ部材が、小梁５９ａ、５９ｂ、５９ｃ、５９ｄ、５９ａ′、５９ｂ′、５９ｃ′、５９ｄ′や梁材６１として用いられている。
【００２２】
また、上記大梁５７ｂには、図１０に示すように、その上側（図９（ｂ）及び図１０中上側）に、３つのブラケット７５ａ、７５ｂ、７５ｃが固着されている。個々の上記ブラケット７５ａは、上記大梁５７ｂに螺合された４つのボルト７６によって上記大梁５７ｂに固着されていて、図１１に示すように、基部７７と、この基部７７に垂直に形成された１つのジョイント板７９とから構成されている。上記ジョイント板７９には貫通孔８１が形成されている。また、基部７７には上記複数のボルトが貫通する取付用貫通孔８３、８３、８３、８３が形成されている。
なお、上記ブラケット７５ｂ、７５ｃも、上記ブラケット７５ａと同様の構成となっている。また、上記ブラケット７５ａ、７５ｂ、７５ｃは、例えば、ステンレス製である。
【００２３】
また、上記大梁５７ｂには、図９及び図１０に示すように、８つのＴ字型金具８５が固着されている。上記Ｔ字型金具８５は、例えば、アルミ又はアルミ合金製である。また、上記Ｔ字型金具８５は、上記大梁５７ｂの長さ方向（図９中左右方向）両端と上記大梁５７ｂの長さ（図９中左右方向長さ）を３等分する位置において、幅方向（図９（ａ）中上下方向）両側のそれぞれに固着されている。上記大梁５７ｂの幅方向（図９（ａ）中上下方向）両側に配置された１組の上記Ｔ字型金具８５、８５は、４組のボルト８７とナット８９によって上記大梁５７ｂに固着されている。
上記Ｔ字型金具８５の３つの辺の夫々には、貫通孔９１が２つずつ形成されている。上記ボルト８７は上記貫通孔９１を貫通して上記ナット８９に螺合されている。また、上記貫通孔９１のうち、上記大梁５７ｂの幅方向（図９（ａ）中上下方向）両側に突出した上記Ｔ字型金具８５の辺も形成されたものは、後述する小梁５９ａ等と上記大梁５７ｂとの接続に際して用いられるものである。
【００２４】
なお、大梁５７ａと大梁５７ｃも、上記大梁５７ｂと略同様の構成となっており、ブラケットやブレース用プレートが固着されているが、前述したように、固着されたブレース用プレートの種類が異なっている。また、上記大梁５７ａや上記大梁５７ｃにおいては、上記Ｔ字型金具８５は、幅方向の一方側（上記大梁５７ａについては図８中左側、上記大梁５７ｃについては図８中右側）のみに設けられている。
【００２５】
小梁５９ｂは、前述したように、図１２及び図１３に示すような、前述した大梁５７ｂ等と同様の構成を成している。そして、その上面（図１２及び図１３（ｂ）中上側の面）のボルト係合溝７３には、１４個の先入れボルト９３が係合されている。これらの先入れボルト９３は、図１３に示すように、上記小梁５９ｂの長さ方向（図１３中左右方向）の所定位置に配置されている。
上記先入れボルト９３は、図１４に示すような形状を成しており、上記ボルト係合溝７３の断面形状に対応した形状となっている頭部９５と、雌ねじ部９７とから構成されている。上記先入れボルト９３は、上記雌ねじ部９７を上記小梁５９ｂの上面側（図１３（ｂ）中上側）に突出させた状態で、上記小梁５９ｂのボルト係合溝７３に係合・配置されている。上記先入れボルト９３によって、屋根用梁構造体５３に対して、後述する屋根パネル５５が取り付けられるようになっている。なお、上記先入れボルト９３は、例えば、ステンレス製である。
【００２６】
また、図１３（ａ）に示すように、上記小梁５９ｂの長さ方向（図１３中左右方向）中央の、幅方向（図１３（ａ）中上下方向）両側には、Ｔ字型金具８５、８５が固着されている。上記Ｔ字型金具８５、８５は、４組のボルト９９及びナット１０１によって、上記小梁５９ｂに固着されている。
また、上記小梁５９ｂの長さ方向（図１３中左右方向）両端側には、それぞれ２つずつ貫通孔１０３が形成されている。
なお、小梁５９ｃは上記小梁５９ｂと同様の構成を成している。また、小梁５９ａと小梁５９ｄは上記小梁５９ｂと略同様の構成であるが、Ｔ字型金具８５が屋根用梁構造体５３の内側方向の面に一つだけ固着されている。（上記小梁５９ａについては図８中下側に、上記小梁５９ｄについては図８中上側に、上記Ｔ字型金具８５が固着されている。）また、小梁５９ａ′は小梁５９ａと同様の構成を成しており、小梁５９ｂ′は小梁５９ｂと同様の構成を成しており、小梁５９ｃ′は小梁５９ｃと同様の構成を成しており、小梁５９ｄ′は小梁５９ｄと同様の構成を成している。
【００２７】
また、大梁５７ｂと小梁５９ａ、５９ａ′との接続部は、図１５に示すような構成となっている。すなわち、上記大梁５７ｂの図１５中左側に突出したＴ字型金具８５の辺に対して上記小梁５９ａが接続され、図１５中右側に突出したＴ字型金具８５の辺に対して上記小梁５９ａ′が接続されている。また、上記小梁５９ａや上記小梁５９ａ′と、上記Ｔ字型金具８５とは、上記小梁５９ａや上記小梁５９ａ′の貫通孔１０３と上記Ｔ字型金具８５の貫通孔９１とを貫通するボルト１０５と、このボルト１０５に螺合されるナット１０７によって固定されている。
なお、他の大梁と小梁の接続部や、小梁と梁材６１との接続部についても同様の構成となっている。
【００２８】
また、屋根９の両端に配置される屋根ユニット５１の屋根用梁構造体５３については、図１や図１６に示すように、上記屋根９の端に位置する大梁５７ａ又は大梁５７ｃに端材１０８が取り付けられている。すなわち、図８を用いて説明すると、図１中右端側に取り付けられた屋根ユニット５１の屋根用梁構造体５３においては、大梁５７ａの図８中左側に４つの端材１０８が取り付けられており、図１中左端側に取り付けられた屋根ユニット５１の屋根用梁構造体５３においては、大梁５７ｃの図８中右側に４つの端材１０８が取り付けられていることになる。
上記端材１０８も、例えば、アルミ又はアルミ合金製であり、上記大梁５７ｂ等と同様の断面形状をなす部材で、その長さが非常に短いものである。また、上記端材１０８と上記大梁５７ａ等との接続も、図１６に示すように、上記大梁５７ｂと上記小梁５９ａ等との接続と同様、上記Ｔ字形金具８５によって行われる。
以上が、屋根用梁構造体５３の構成についての説明である。
【００２９】
次に、屋根用梁構造体５３と柱５（柱５′）との接続について説明する。
上記大梁５７ｂに固着されたブラケット７５ｂは、図１６に示すように、柱５のブラケット１９に接続され、ジョイント１０９を形成する。このジョイント１０９は、図１７に示すように、上記ブラケット１９のジョイント板３５、３５の間に、上記ブラケット７５ｂのジョイント板７９が挿入され、上記ジョイント板３５、３５の貫通孔３７、３７や上記ジョイント板７９の貫通孔８１を貫通するピン１１１が設置されることによって、上記ブラケット１９に対して上記ブラケット７５ｂが回動可能に接続されるように構成されている。
【００３０】
また、上記ピン１１１には長さ方向（図１７中左右方向）に延長・形成された貫通孔１１３があり、この貫通孔１１３にボルト１１５の軸部１１７を貫通させている。上記軸部１１７の後端側（図１７中右側）にはナット１１９が螺合されている。上記ボルト１１５の頭部１２１と上記ピン１１１との間、及び、上記ナット１１９と上記ピン１１１との間には、ワッシャ１２１、１２１が介挿されている。
上記ピン１１１の長さ（図１７中左右方向長さであり、図１７中ｌ１で示す）は、上記ブラケット１９の一方のジョイント板３５の外側の面（反他方のジョイント板３５側の面）から他方のジョイント板３５の外側の面（反一方のジョイント板３５側の面）までの距離（図１７中ｌ２で示す）よりも若干大きく設定されている。そのため、図１７に示すような上記ボルト１１５及び上記ナット１１９を緩くした仮止めの状態から、上記ボルト１１５及び上記ナット１１９を上記ワッシャ１２１、１２１が上記ピン１１１を押圧するように締めた状態にして固定しても、上記ブラケット１９に対して上記ブラケット７５ｂが回動可能となっている。なお、上記ピン１１１は、例えば、ステンレス製である。
【００３１】
なお、大梁５７ａや大梁５７ｃに固着されたブラケット７５ｂと、柱５（柱５′）のブラケット１９との接続部も、前述した上記大梁５７ｂと上記柱５のブラケット１９との接続部と同様の構成となっており、ジョイント１０９を形成している。また、柱５′には、前述したように２つのブラケット１９、１９が固着されているが、前述したように、上記柱５′は、屋根ユニット５１が隣り合う箇所に設置されるものである。そのため、上記柱５′の一方のブラケット１９には一の屋根用梁構造体５３の大梁５７ａに固着されたブラケット７５ｂが接続され、上記柱５′の他方のブラケット１９には他の屋根用梁構造体５３の大梁５７ｃに固着されたブラケット７５ｂが接続されることになる。
【００３２】
また、図３等に示すように、屋根用梁構造体５３は、柱５（柱５′）と上記屋根用梁構造体５３とを接続する方杖１１、１３によって支持されている。
上記方杖１１は、図１８に示すように、パイプ状を成している軸部１２３と、その両端に固着されたブラケット１２５、１２５とから構成されている。上記軸部１２３は、例えば、アルミ又はアルミ合金製である。また、上記ブラケット１２５は、前述したブラケット１９と同様のものである。上記ブラケット１２５、１２５の何れか一方にはブラケット１２７が接続されている。このブラケット１２７は、前述したブラケット７５ａ等と同様のものであり、上記ブラケット１２５と上記ブラケット１２７との接続部分ジョイント１２８となっており、その構成は前述した図１７に示すようなものとなっている。
また、上記方杖１３は、上記方杖１１と略同様の構成となっており、上記軸部１２３の長さが長いものとなっている。
【００３３】
上記方杖１１、１３の、柱５（柱５′）及び上記屋根用梁構造体５３に対する取付構造について、上記方杖１３を例に挙げて説明する。
上記方杖１３は、図１６に示すように、上記柱５及び上記屋根用梁構造体５３に取り付けられている。すなわち、上記方杖１３のブラケット１２５は上記大梁５７ｂのブラケット７５ａと接続され、上記方杖１３のブラケット１２７は上記柱５の側面に固着されている。上記ブラケット１２７は、上記柱５のブラケット取付用孔４８、４８、４８、４８に螺合されるナット１２６によって、上記柱５に固着されている。上記ブラケット１２５と上記ブラケット７５ａとの接続部分もジョイント１３０となっており、その構成も、前述した図１７に示すようなものとなっている。
【００３４】
なお、図３に示すように、上記方杖１３の取り付けられた側の反対側に方杖１１が取り付けられている。上記柱５と上記屋根用梁構造体５３との接続についても、上記方杖１３を介した上記柱５と上記屋根用梁構造体５３との接続と同様の構成となっている。
【００３５】
また、上記方杖１１、１３を介した、柱５′と上記屋根用梁構造体５３との接続についても略同様の構成となっているが、前述したように上記柱５′は後述する屋根ユニット５１が隣り合う箇所に配置されているため、二組の上記方杖１１、１３が取り付けられている。そして、隣り合う２つの上記屋根ユニット５１のうちの一方の屋根ユニット５１が一方の方杖１１、１３によって支持されるとともに、他方の屋根ユニット５１が他方の方杖１１、１３によって支持されることになる。
以上が、屋根用梁構造体５３と柱５（柱５′）との接続についての説明である。
【００３６】
次に、屋根パネル５５の構成について説明する。
上記屋根パネル５５は、例えば、図１９に示すように、複数の屋根型材ユニット１２９と１つの屋根型材ユニット１３１によって構成されている。また、上記屋根パネル５５の図１９中右側端部には、アングル材１３２ａ、１３２ａが装着されている。このアングル材１３２ａ、１３２ａは、例えば、アルミ又はアルミ合金製であり、複数のリベット１３２ｂによって固定されている。回転式ホーム上家１が完成した状態においては、上記屋根パネル５５の上記アングル材１３２ａが設けられた側を上方に向けて、屋根９が傾斜されることになる。
上記屋根型材ユニット１２９は、図２０に示すように、４つの屋根板１３３を、略Ｚ字型の断面形状を成す４つのＺ字型部材１３５によって接続した構成となっている。
【００３７】
屋根板１３３は、例えば、アルミ又はアルミ合金製である。また、上記屋根板１３３は、図２１に示すような断面形状を成しており、押出成型によって形成される。図２１中左側の部分は上面側（図２１中上側）に開口した凹部１３７となっており、その外側（図２１中左側）の縁部には、パッキン用溝１３９が長さ方向（図２１中紙面垂直方向）に延長・形成されている。上記凹部１３７の図２１中右側の部分は、略筒状に形成され、ナット用貫通孔１４１が長さ方向（図２１中紙面垂直方向）に延長・形成されている。また、上記ナット用貫通孔１４１の下側（図２１中下側）には、上記屋根板１３３の下面側（図２１中下側）に開口したナット用溝１４３が長さ方向（図２１中紙面垂直方向）に延長・形成されている。また、図２１中、上記ナット用貫通孔１４１と上記ナット用溝１４３の右側には、下面側（図２１中下側）に開口した凹部１４５が形成されている。
【００３８】
上記屋根板１３３が図２２に示すように組み合わさり、Ｚ字型部材１３５によって接続されることで、屋根型材ユニット１２９が構成されている。
４つの上記屋根板１３３、１３３、１３３、１３３は、図２２に示すように、一の屋根板１３３の凹部１４５の一部と隣接する他の屋根板１３３の凹部１３７の一部とを係合させることで組み合わされている。また、上記パッキン用溝１３９にはシール部材としてのパッキン１４６が挿入され、上記一の屋根板１３３と上記他の屋根板１３３との係合部分を密着させている。
上記Ｚ字型部材１３５と上記屋根板１３３との接続は、上記屋根板１３３のナット用溝１４３内に挿入された先入れナット１４７と、上記Ｚ字型部材１３５を貫通するボルト１４９とを螺合させることによって行われる。上記Ｚ字型部材１３５は、例えば、アルミ又はアルミ合金製であり、前述のように、図２０に示すような、略Ｚ字型の断面形状を成している。また、上記Ｚ字型部材１３５の、図２０中上側の辺には、図示しない３つの貫通孔が穿孔されており、この貫通孔に上記ボルト１４９が貫通されていることになる。また、上記Ｚ字型部材１３５の図２０中上側の辺の両端側（図２０中左右方向両端側）には、貫通孔１５０、１５０が穿孔されている。
【００３９】
なお、屋根型材ユニット１３１は上記屋根型材ユニット１２９と略同様の構成となっているが、２つの屋根板１３３が用いられている点で異なっている。また、上記屋根ユニット５１の両端部に用いる上記屋根型材ユニット１３１には、図２３に示すように、例えば、ステンレス製のアイボルト１５１が上記屋根板１３３のナット用貫通孔１４１内に挿入された板ナット１５３に螺合されることで取り付けられている。ちなみに、上記板ナット１５３は、ボルト１５４、１５４によって上記屋根板１３３に固定されているものであり、例えば、アルミ又はアルミ合金製である。
【００４０】
また、以上述べた上記屋根パネル５５の構成は、一例であり、上記屋根型材ユニット１２９、１３１以外にも、上記屋根板１３３の枚数が異なる屋根型材ユニットも用いる場合が考えられる。また、上記屋根パネル５５に用いる屋根型材ユニットの個数や種類は、上記屋根パネル５５の全長を調整するために異っている場合が考えられる。
なお、上記屋根パネル５５の全長は、それが用いられている屋根ユニット５１が回転式ホーム上家１のどの部分に用いられるかによって異なっている。また、本実施の形態の説明において、全ての屋根ユニット５１に同一の符号を付しているが、その取付位置によって用いられる屋根パネル５５を構成する屋根型材ユニットの個数や種類が異なっている場合がある。
以上が、屋根パネル５５の構成についての説明である。
【００４１】
図３に示すように、上記屋根パネル５５のＺ字型部材１３５が屋根用梁構造体５３の上面側（図３中上側）に接続されて、上記屋根パネル５５が上記屋根用梁構造体５３に取り付けられることで、屋根ユニット５１が構成される。その際、上記屋根用梁構造体５３の小梁５９ａ〜５９ｄのボルト係合溝７３に係合された先入れボルト９３の雌ねじ部９７が上記Ｚ字型部材１３５の貫通孔１５０を貫通しナット１５５に螺合されることで、上記屋根パネル５５と上記屋根用梁構造体５３とが固定される。
以上が屋根ユニット５１の構成についての説明である。
【００４２】
複数の屋根ユニット５１によって屋根９が形成されるが、上記屋根ユニット５１が隣接する部分には若干の隙間が存在している。この隙間を塞ぐため、上記屋根９には、図１に示すように、カバー１５７が設置されている。このカバー１５７は、例えば、アルミ又はアルミ合金製である。また、上記カバー１５７が設けられた部分は、図２３に示すような構成となっている。すなわち、隣接する２つの屋根ユニット５１の境界部分に、略コの字型を９０°回転させた断面形状を成す上記カバー１５７を被せて、上記隣接する２つの屋根ユニット５１の境界部の隙間を塞いでいる。また、上記カバー１５７は、上記隣接する二つの屋根ユニット５１のうちの一方（図２３中左側の屋根ユニット５１）に対して、ビス１５９及び粘着テープ１６１によって固定されている。
【００４３】
なお、上記複数の屋根ユニット５１によって上記屋根９が構成されると、上記カバー１５７の先端側（図１中上側の端側）が上記アングル材１３２ａと屋根板１３３との間に挿入された状態となっている。
以上が屋根９の構成についての説明である。
【００４４】
また、図３に示すように、屋根９は、所定の角度だけ傾斜させた状態で取り付けられている。上記屋根９の傾斜の下り側（図３中右側）の端部には、雨樋１６３が設けられている。上記雨樋１６３は、回転式ホーム上家１の長さ方向（図３中紙面垂直方向）に所定の角度だけ、若干傾斜した状態で設けられていて、例えば、２つの排水パイプ１６５が接続されているものである。この２つの排水パイプ１６５は、図１及び図３に示すように、プラットホーム３の背面（図１中下側の面）に設けられた排水溝１６６に接続されている。
以上が、本実施の形態による回転式ホーム上家１の構成についての説明である。
【００４５】
次に、本実施の形態による回転式ホーム上家１の構成の作用について説明する。
柱５（柱５′）と屋根９とが回動可能なジョイント１０９によって接続されている。そのため、上記回転式ホーム上家１は、まず、上記屋根９を略垂直に立てた状態で設置する屋根設置工程と、その後、上記屋根９を回動させて所定の傾斜角度にて固定する屋根回動・固定工程を行うことによって構築されるものである。
また、上記屋根９は複数の屋根ユニット５１から構成されているため、この屋根ユニット５１ごとに上記屋根回動・固定工程を行うものである。また、上記屋根ユニット５１は複数の屋根型材ユニット１２９等から構成されているため、上記屋根ユニット５１の構築は予め組み立てられた上記屋根型材ユニット１２９等を現場に搬入して行われるものである。
【００４６】
また、上記屋根９に用いられる屋根板１３３は押出成型によって形成されるものであり、上面側（図３中上側）に開口された凹部１３７が形成されている。そして、上記屋根９は所定の傾斜角度で傾斜されており、傾斜の下り側（図３中右側）の端部には、雨樋１６３が設けられている。そのため、雨が降った際は、雨水が雨樋１６３側に流出していくことになる。
また、上記屋根９を構成する複数の屋根ユニット５１同士の境界部分にはカバー１６１が設けられており、上記屋根９の下方（図３中下側）に雨水が漏れ出さないようにしている。
また、上記屋根ユニット５１に用いられる複数の屋根板１３３の係合部にはパッキン１４６が設けられており、上記屋根板１３３同士が係合する部分から雨水が漏れ出さないようにしている。
以上が、本実施の形態による回転式ホーム上家１の構成の作用についての説明である。
【００４７】
次に、本実施の形態による回転式ホーム上家１による効果について説明する。
柱５（柱５′）と屋根９とが回動可能なジョイント１０９によって接続されているため、上記回転式ホーム上家１は、まず、上記屋根９を略垂直に立てた状態で構築した後、上記屋根９を回動させて所定の傾斜角度にて固定することによって構築されるものである。そのため、鉄道を通常通り運行させたまま、少ない作業スペースにて上記屋根９を構築することができる。また、線路閉鎖やき電停止は上記屋根９を回動させる段階以降に行えばよく、上記回転式ホーム上家１の構築による鉄道の運行等への影響を大幅に減少させることができる。
また、上記屋根９は複数の屋根ユニット５１から構成されているため、この屋根ユニット５１ごとに上記屋根回動・固定工程を行うことにより、所定の傾斜角度で傾斜された上記屋根９の構築が容易なものとなる。また、上記屋根ユニット５１は複数の屋根型材ユニット１２９等から構成されているため、上記屋根ユニット５１の構築を予め組み立てられた上記屋根型材ユニット１２９等を現場に搬入して行うことができ、上記屋根ユニット５９を容易に構築することができる。
また、上記屋根９に用いられる屋根板１３３や、屋根用梁構造体５３の大梁５７ａ、小梁５９ａ等は、例えば、アルミ又はアルミ合金製であり、上記屋根９を軽くすることができるとともに、上記屋根９の回動作業を容易にすることができる。
【００４８】
また、上記屋根板１３３は押出成型によって形成されるものであり、上面側（図３中上側）に開口された凹部１３７が形成されている。そして、上記屋根９は所定の傾斜角度で傾斜されており、傾斜の下り側（図３中右側）の端部には、雨樋１６３が設けられている。そのため、雨が降った際は、雨水を効率よく雨樋１６３側に流出させることができる。
また、上記屋根９を構成する複数の屋根ユニット５１同士の境界部分にはカバー１６１が設けられているため、上記屋根９の下方（図３中下側）への雨漏りを防止することができる。
また、上記屋根ユニット５１に用いられる複数の屋根板１３３の係合部分にはパッキン１４６が設けられているため、上記屋根板１３３同士の係合部分からの雨漏りを防止することができる。
また、柱５の柱本体１５は、例えば、アルミ又はアルミ合金製であり、内部にリブ２５、２５、２５、２５が設けられた中空形状となっているため、軽量であり、且つ、上記屋根９をジョイント１０９、方杖１１、１３を介して確実に指示することができる。
以上が、本実施の形態による回転式ホーム上家１の構成の効果についての説明である。
【００４９】
次に、主に図２４〜図３１を参照して、本実施の形態による回転式ホーム上家１の構築方法について説明する。
なお、図２４〜図３１に示す上記回転式ホーム上家１と前述の図１に示す回転式ホーム上家１とは屋根ユニット５１の個数が異なっているが、それ以外の構成は同様のものとなっている。
まず、図２４に示すように、プラットホーム３上に囲い１６７を設置する。この囲い１６７の設置作業においては、資材の搬入や上記囲い１６７の構築作業のため、線路閉鎖を行う必要がある。また、上記囲い１６７の設置作業は夜間に行われる。なお、上記線路閉鎖は、上記囲い１６７の構築作業が完了すると、解除される。
【００５０】
次に、図２５に示すように、プラットホーム３に基礎３９を埋設するための穴（ピット）１６９を形成する。この作業は上記囲い１６７内で行うため、線路閉鎖やき電停止を行う必要はない。また、上記穴（ピット）１６９形成作業は昼間に行われる。
【００５１】
次に、図２６に示すように、上記穴（ピット）１６９の位置に柱５（柱５′）を立設していくことになる。これが柱立設工程である。説明の都合上、図３に戻るが、まず、穴１６９内に、下部基礎３９ａを構築する。この下部基礎３９ａの構築は、型枠を組み、次いで、その型枠内に鉄筋を組み、同時に、既に説明したアンカーボルト４１を埋設し、その状態でコンクリートを打設する。これによって、下部基礎３９ａが構築される。
【００５２】
次いで、上記下部基礎３９ａに柱５（柱５′）の下端部に設けられたベースプレート２１を上記アンカーボルト４１に仮固定して上記柱５（柱５′）を立てる。このとき、上記柱５（柱５′）の位置合わせを行う。そして、図２６に示すように、隣り合う上記柱５（柱５′）間にトラス７を取り付け、再度、上記柱５（柱５′）の位置合わせを行い、上記柱５（柱５′）間のピッチを確定して、上記ベースプレート２１を上記アンカーボルト４１に本固定する。その後、型枠を組んで、その中に鉄筋を組み、その状態でコンクリートを打設する。これによって、上部基礎３９ｂが構築される。後は、基礎３９の周りに掘削土４０を入れて埋め戻し、その表面にアスファルト４２を流し込んで完了する。
これによって、柱５（柱５′）の立設工程（柱立設工程）が完了する。
なお、上記柱５（柱５′）は図２６に示すように設置されており、柱５′は後述する屋根ユニット５１同士が隣接する箇所に設置されるものである。また、上記柱５（柱５′）は予め組み立てられた状態で現場に運び込まれるものである。
これらの作業も上記囲い１６７内で行うため、線路閉鎖やき電停止を行う必要はなく、昼間に行われるものである。
【００５３】
次に、上記柱５（柱５′）に屋根ユニット５１を立てた状態で設置する屋根設置工程について説明する。
まず、図２７に示すように、柱５（柱５′）に屋根用梁構造体５３を回動可能に、且つ、立てた状態で取り付ける。
この屋根用梁構造体５３は、次のようにして、上記柱５（柱５′）に取り付けられながら、構成される。まず、大梁５７ａ等には予め、ブラケット７５ａ等、ブレース用プレート６３等、Ｔ字型金具８５を固着させておく。また、小梁５９ａ等にも、予め、ブレース用プレート６９、Ｔ字型金具８５等を固着させ、ボルト係合溝７３内に先入れボルト９３を係合させておく。
【００５４】
次に、図２７中左端の柱５に大梁５７ａを立てた状態で取り付け、図２７中左から２番目の柱５に大梁５７ｂを立てた状態で取り付ける。中央の柱５′の図２７中左側（図７中左側）のブラケット１９には大梁５７ｃを立てた状態で取り付け、図２７中右側（図７中右側）のブラケット１９には大梁５７ａを立てた状態で取り付ける。そして、図２７中右から２番目の柱５には大梁５７ｂを立てた状態で取り付け、図２７中右端の柱５には大梁５７ｃを立てた状態で取り付ける。その後、上記大梁５７ａ等を図８に示すように、小梁５９ａ等によって接続し、梁材６１やブレース用プレート６３等、ブレース７１等を取り付けて、上記屋根用梁構造体５３を構築する。
これらの作業も上記囲い１６７内で行うため、線路閉鎖やき電停止を行う必要はなく、昼間に行われるものである。
【００５５】
なお、図２７においては、上記屋根用梁構造体５３が模式的に示されており、ブレース用プレート等が図示されていない。また、上記大梁５７ａ等もその形状を簡略化して示している。以下で参照される図２８、図３０においても同様である。
【００５６】
次に、図２８に示すように、立てた状態の上記屋根用梁構造体５３に屋根パネル５５を取り付ける。
まず、予め、屋根型材ユニット１２９、１３１を組み立てておく。そして、この屋根型材ユニット１２９、１３１を現場に搬入して、図１９に示すように上記屋根用梁構造体５３に取り付け、更にアングル材１３２ａ、１３２ａを取り付けることで屋根パネル５５を形成する。これによって、１つの屋根用梁構造体５３と、この屋根用梁構造体５３上に形成された屋根パネル５５とによる屋根ユニット５１が構成される。図２８には２つの屋根ユニット５１が示されている。
ここまでの工程が、屋根設置工程である。
これらの作業も上記囲い１６７内で行うため、線路閉鎖やき電停止を行う必要はなく、昼間に行われるものである。
【００５７】
次に、上記屋根ユニット５１を回動させて所定の傾斜角度にて固定する屋根回動・固定工程について説明する。この屋根回動・固定工程は、夜間に行われるものである。
まず、上記囲い１６７を撤去するとともに、き電停止と線路閉鎖を行う。そして、上記屋根ユニット５１を回動させて、所定の角度に傾斜させた状態で固定する。
そして、上記屋根ユニット５１を回動させて所定の傾斜角度とする屋根回動工程を行う。この屋根回動工程は、図２９に示すように、ハンドウインチ１７１を用いて、作業員１７３によって行う。
まず、図２９に示すように、大梁５７ｃのブラケット７５ｃにワイヤ１７５を接続する。次に、柱５（柱５′）の反屋根ユニット５１側（図２９中右側）の面の下端側（図２９中下側）にＬ字型金具４３を介して取り付けられたフック４５に上記ハンドウインチ１７１を接続する。そして、上記ハンドウインチ１７１と上記ワイヤ１７５とを接続する。また、大梁５７ａや大梁５７ｂについても、同様に、ブラケット７５ｃにワイヤ１７５を接続し、上記ワイヤ１７５とハンドウインチ１７１によって、対応する柱５（柱５′）との接続を行う。
そして、個々の作業員１７３が対応する上記ハンドウインチ１７１を用いて、上記ワイヤ１７５を引っ張り、図２９中時計回り方向に屋根ユニット５１を回動させる。上記屋根ユニット５１が所定の傾斜角度となったら、上記ハンドウインチ１７１の操作をやめ、上記屋根ユニット５１の回動を停止させる。この状態では、上記屋根ユニット５１のブラケット７５ａ側（図２９中左側）が自重によって下がるのを上記ワイヤ１７５によって支え、上記屋根ユニット５１が上記所定の角度にて傾斜した状態を維持している。
【００５８】
次に、図３に示すように、方杖１３を設置する方杖設置工程を行う。個々のブラケット７５ａに上記方杖１３のブラケット１２５を接続し、その後、上記方杖１３のブラケット１２７を対応する柱５（柱５′）に固着させる。この状態では、上記方杖１３によって上記屋根ユニット５１が所定の角度で傾斜した状態が維持されているため、個々の上記ワイヤ１７５を上記ブラケット７５ｃから取外す。
次に、方杖１１を設置する別方杖設置工程を行う。上記ワイヤ１７５を取り外した後、個々の上記ブラケット７５ｃに方杖１１のブラケット１２５を接続し、その後、上記方杖１１のブラケット１２７を対応する上記柱５（柱５′）に固着させる。このようにすることで、上記方杖１１、１３によって上記屋根ユニット５１は完全に固定される。なお、一つの上記屋根ユニット５１に対して、３組の上記方杖１１、１３が使用されていることになる。
一つの屋根ユニット５１について回動・固定作業が完了した状態を図３０に示す。又、２つの屋根ユニット５１について回動・固定作業が完了した状態は図３１に示すようになる。
ここまでの工程が、屋根回動・固定工程である。
【００５９】
次に、図１、図２３に示すように、上記屋根ユニット５１間の境界部分にカバー１５７を取り付ける。このとき、上記カバー１５７の先端側（図１中上側の端側）がアングル材１３２ａと屋根板１３３との間に挿入される。これによって、上記屋根ユニット５１、５１による屋根９が構成される。
また、上記屋根ユニット５１の回動作業の際に用いたフック４５、及び、このフック４５が取り付けられているＬ字型金具４３を柱５（柱５′）から除去し、上記Ｌ字型金具４３を固定していたボルトの螺合されていた孔に図示しないセットスクリューを螺合する。
また、屋根９への雨樋１６３の取付作業等を行う。そして、き電停止と線路閉鎖が解除される。
このようにして、回転式ホーム上家１が構築される。
【００６０】
次に、本実施の形態による回転式ホーム上家１の構築方法の特徴部分について、一部繰り返しになるが更に詳しく説明する。
上記回転式ホーム上家１の構築方法によると、図２７、図２８に示すように、屋根９を構成する屋根ユニット５１を立てた状態で構築するため、上記屋根ユニット５１の構築作業は囲い１６７内の狭いスペースで行うものであり、この作業中には線路閉鎖やき電停止は行わないものである。
また、上記屋根ユニット５１の屋根用梁構造体５３の構築作業は、まず柱５（柱５′）に大梁５７ａ、５７ｂ、５７ｃを接続し、その後、小梁５９ａ等を接続していくことによって行われるため、搬入し易い各構成要素を上記囲い１６７内に搬入して行うものである。
また、上記屋根ユニット５１の屋根パネル５５の構築作業は、予め屋根型材ユニット１２０、１３１を組み立てておき、これを上記屋根用梁構造体５３に取り付けていくことで行われるため、搬入し易い上記屋根型材ユニット１２０、１３１上記囲い１６７内に搬入して行うものである。
【００６１】
また、上記屋根ユニット５１を所定の傾斜角度とする屋根回動・固定工程は、立てた状態で構築した上記屋根ユニット５１を回動させることによって行うため、ある程度広いスペースが必要であり、このときはき電停止と線路閉鎖を行うものである。
また、上記屋根ユニット５１の回動作業は、ハンドウインチ１７１によって、人力で行うものである。
以上が、本実施の形態による回転式ホーム上家１の構築方法についての説明である。本実施の形態によれば、き電停止と線路閉鎖を最小限に抑えることができる。
【００６２】
次に、本実施の形態による回転式ホーム上家１の構築方法の効果について説明する。
まず、上記回転式ホーム上家１の構築方法によると、屋根９を構成する屋根ユニット５１を立てた状態で構築するため、囲い１６７内の狭いスペースでも上記屋根ユニット５１の構築作業を行うことができ、この作業中に線路閉鎖やき電停止を行う必要がなく、鉄道の運行に与える影響を小さなものとすることができる。
また、上記屋根ユニット５１の屋根用梁構造体５３の構築作業は、まず柱５（柱５′）に大梁５７ａ、５７ｂ、５７ｃを接続し、その後、小梁５９ａ等を接続していくことによって行われるため、大きな屋根用梁構造体５３を構築してから搬入する必要がなく運搬作業が容易となり、且つ、上記囲い１６７内の限られたスペースでも容易に作業を行うことができ、この作業中の線路閉鎖やき電停止が不要となる。
また、上記屋根ユニット５１の屋根パネル５５の構築作業は、予め屋根型材ユニット１２０、１３１を組み立てておき、これを上記囲い１６７内に搬入して上記屋根用梁構造体５３に取り付けていくことで行われるため、運搬作業が容易であり、且つ、上記囲い１６７内の限られたスペースでも容易に作業を行うことができ、この作業中の線路閉鎖やき電停止が不要となる。
【００６３】
また、上記屋根ユニット５１を所定の傾斜角度とする作業は、立てた状態で構築した上記屋根ユニット５１を回動させることによって行うため、ある程度広いスペースが必要である。よって、この作業と、その後の上記屋根ユニット５１の固定作業等においてのみ、き電停止と線路閉鎖が必要であり、鉄道の運行に与える影響を小さなものとすることができる。
また、屋根回動・固定工程は、上記屋根ユニット５１ごとに行われるものであるため、所定の角度で傾斜された上記屋根９の構築を容易に行うことができる。
また、上記屋根９に用いられる屋根板１３３や、屋根用梁構造体５３の大梁５７ａ、小梁５９ａ、梁材６１等の構造材は、例えば、アルミ又はアルミ合金製であり、上記屋根９を軽くすることができる。そのため、上記屋根パネル５１の回動作業を容易なものすることができ、ハンドウインチ１７１によって人力で行うことができる。また、柱５の柱本体１５も、例えば、アルミ又はアルミ合金製であるため、柱５の運搬・設置作業が容易なものとなる。
以上が、本実施の形態による回転式ホーム上家１の構築方法の効果についての説明である。
【００６４】
なお、本願発明は前記一実施の形態に限定されない。
柱５（柱５′）、屋根ユニット５１等の数は、回転式ホーム上家１の全長に応じて様々な場合が考えられる。
また、屋根９の構築は、上記屋根９を構成する個々の屋根ユニット５１を順次回動・固定し、全ての屋根ユニット５１について回動・固定を行った後、カバー１５７を取り付けることによって行ったが、立てた状態において先にカバー１５７を取り付けて上記屋根９を構築した後、上記屋根９の回動・固定を行うことも考えられる。
また、屋根回動・固定工程においてはハンドウインチ１７１を用いたが、他の手段によって屋根ユニット５１（屋根９）の回動作業を行うことも考えられる。
また、各部材の固定手段についても、前記一実施の形態で挙げたものに限定されない。
また、前記一実施の形態の場合には、屋根を傾斜させて固定する場合を例に挙げて説明したが、水平としてもよい。
また、各構成要素の材質は、前記一実施の形態で挙げたものに限定されない。
【産業上の利用可能性】
【００６５】
本願発明は、例えば、プラットホーム上に設置されるホーム上家の構築方法に係り、特に、作業に必要なスペースが小さく、且つ、線路閉鎖やき電停止の期間が短くて済むように工夫したものに係り、例えば、鉄道駅のホーム上家に好適である。
【符号の説明】
【００６６】
１  回転式ホーム上家
３  プラットホーム
５  柱
５′  柱
９  屋根
１１  方杖
１３  方杖
１５  柱本体
５１  屋根ユニット
５３  屋根用梁構造体
５７ａ  大梁
５７ｂ  大梁
５７ｃ  大梁
５９ａ  小梁
５９ｂ  小梁
５９ｃ  小梁
５９ｄ  小梁
５９ａ′  小梁
５９ｂ′  小梁
５９ｃ′  小梁
５９ｄ′  小梁
６１  梁材
１０９  ジョイント
１２９  屋根型材ユニット
１３３  屋根板
１４６  パッキン（シール部材）
【図１】
0005924905.tif 000002
【図２】
0005924905.tif 000003
【図３】
0005924905.tif 000004
【図４】
0005924905.tif 000005
【図５】
0005924905.tif 000006
【図６】
0005924905.tif 000007
【図７】
0005924905.tif 000008
【図８】
0005924905.tif 000009
【図９】
0005924905.tif 000010
【図１０】
0005924905.tif 000011
【図１１】
0005924905.tif 000012
【図１２】
0005924905.tif 000013
【図１３】
0005924905.tif 000014
【図１４】
0005924905.tif 000015
【図１５】
0005924905.tif 000016
【図１６】
0005924905.tif 000017
【図１７】
0005924905.tif 000018
【図１８】
0005924905.tif 000019
【図１９】
0005924905.tif 000020
【図２０】
0005924905.tif 000021
【図２１】
0005924905.tif 000022
【図２２】
0005924905.tif 000023
【図２３】
0005924905.tif 000024
【図２４】
0005924905.tif 000025
【図２５】
0005924905.tif 000026
【図２６】
0005924905.tif 000027
【図２７】
0005924905.tif 000028
【図２８】
0005924905.tif 000029
【図２９】
0005924905.tif 000030
【図３０】
0005924905.tif 000031
【図３１】
0005924905.tif 000032